(57)【要約】      （修正有）【課題】組立及び分解が簡単な清掃具を提供する。【解決手段】清掃具はクリーニング部１１と、クリーニング部に着脱可能に取り付けられる取付板２１と、取付板に着脱可能に取り付けられる長柄部３１とからなる。クリーニング部は、開口部が対向する一対の袋状のポケット１１ｂを上面に備え、取付板は中央に形成されたヒンジ部２１ａにより二つ折りが可能で、ヒンジ部２１ａの左右にそれぞれ一対の袋状のポケット１１ｂに挿入される左右一対の挿入片２１ｂが形成される。挿入片の上面にはそれぞれ対向するように左右一対のガイドレール２１ｃが設けられ、ガイドレールの前方にはそれぞれ左右一対の係止部２１ｄが設けられる。長柄部３１の前端には、弾発的に係合可能な係合爪３２ａを前方に有する断面略エ字形のスライド部材３２が一体的に設けられ、係合爪３２ａは左右一対の係止部２１ｄに係止可能である。【選択図】図１２
2014042558.tif 000002
【特許請求の範囲】
【請求項１】
クリーニング部と、該クリーニング部に着脱可能に取り付けられる取付板と、該取付板に着脱可能に取り付けられる柄部とから構成される清掃具であって、
前記クリーニング部は、開口部が対向する左右一対の袋状のポケットを上面に備え、前記取付板は、中央に形成されたヒンジ部により折り曲げ可能で、前記ヒンジ部の左右にそれぞれ前記左右一対の袋状のポケットに挿入される左右一対の挿入片が形成され、前記左右一対の挿入片の上面にはそれぞれ対向するように左右一対のガイドレールが設けられ、該左右一対のガイドレールの前方にはそれぞれ左右一対の係止部が設けられ、前記柄部の前端には、前記左右一対のガイドレールに案内されるスライド部材が一体的に設けられ、前記スライド部材の前方に弾発的に変位可能な係合爪を備え、前記係合爪は前記左右一対の係止部に係止可能であることを特徴とする清掃具。
【請求項２】
前記左右一対のガイドレールは、それぞれが断面略逆Ｌ字形であり、前記スライド部材は、断面略エ字形であることを特徴とする請求項１に記載の清掃具。
【請求項３】
前記クリーニング部は、接触面となる下面が、網地にスリット糸を絡めたもので構成されていることを特徴とする請求項１に記載の清掃具。
【請求項４】
開口部が対向する前記左右一対の袋状のポケットの対向する開口部の間が所定の間隔をおいて離れていることを特徴とする請求項１に記載の清掃具。
【請求項５】
前記柄部は、長尺であり、前記取付板に取り付けたとき、前記取付板に対して所定の角度に傾斜して取り付けられることを特徴とする請求項１に記載の清掃具。
【請求項６】
前記柄部の握り領域には、指掛け部が取り付けられていることを特徴とする請求項１記載の清掃具。
【発明の詳細な説明】
【技術分野】
【０００１】
本発明は、クリーニング部と、取付板及び柄部とから構成され、組立及び分解が簡単な清掃具に関する。
【背景技術】
【０００２】
従来、清掃具の例として、例えば、特許第３２８６６２３号公報に開示のものが提案されている。
この特許第３２８６６２３号公報に提案のものは、モップおよび該モップに用いられるハンドに関するものであり、概略、以下のような構造である。
【０００３】
すなわち、該モップ（本発明の清掃具に対応する）は、回転自在なハンドルと、該ハンドルの装着部（本発明の取付板に対応する）を着脱手段により保持する長尺の保持部と、該保持部の下部から外方へ伸びる複数のひも状体からなる塵芥吸着部（本発明のクリーニング部に対応する）とを備えており、該ハンドルは、装着部とグリップ部（本発明の柄部に対応する）とからなるとともに、該装着部およびグリップ部が互いに結合手段により回転自在にされてなるモップ用ハンドルであり、前記結合手段が、前記装着部上に形成される円筒部と、該円筒部の内壁に対抗して形成される外筒部および内筒部と、該内筒部から外方は延説され、前記一対の第１係止部のあいだから当該第１係止部の下部位置に収納し得る一対の第２係止部とからなり、前記一対の第１係止部のあいだにおける円筒部にスリットが形成されるとともに、該スリットの部位の装着部の表面に貫通溝が形成され、当該装着部が折曲自在のものである。
【先行技術文献】
【特許文献】
【０００４】
【特許文献１】特許第３２８６６２３号公報
【発明の概要】
【発明が解決しようとする課題】
【０００５】
しかしながら、上述した特許文献１に開示のものにおいては、前記結合手段が、前記装着部上に形成される円筒部と、該円筒部の内壁に対抗して形成される外筒部および内筒部と、該内筒部から外方は延説され、前記一対の第１係止部のあいだから当該第１係止部の下部位置に収納し得る一対の第２係止部とからなり、前記一対の第１係止部のあいだにおける円筒部にスリットが形成されるとともに、該スリットの部位の装着部の表面に貫通溝が形成され、当該装着部が折曲自在にされてものであるから、前記結合手段の構造が複雑であり、製造コストも高くなるという問題がある。
【０００６】
本発明は、上記事情に鑑みてなされたものであり、構造が簡単で、組立及び分解が簡単な清掃具を提供することを目的とする。
【課題を解決するための手段】
【０００７】
本発明者は、上記課題を解決するため鋭意検討したところ、左右一対のガイドレールと、この左右一対のガイドレールにガイドされるスライド部材を使用することにより、結合手段が簡単な構造となり、上記課題を解決し得ることを見出し、本発明を完成するに到った。
【０００８】
すなわち、本発明は、（１）クリーニング部と、該クリーニング部に着脱可能に取り付けられる取付板と、該取付板に着脱可能に取り付けられる柄部とから構成される清掃具であって、前記クリーニング部は、開口部が対向する左右一対の袋状のポケットを上面に備え、前記取付板は、中央に形成されたヒンジ部により折り曲げ可能で、前記ヒンジ部の左右にそれぞれ前記左右一対の袋状のポケットに挿入される左右一対の挿入片が形成され、前記左右一対の挿入片の上面にはそれぞれ対向するように左右一対のガイドレールが設けられ、該左右一対のガイドレールの前方にはそれぞれ左右一対の係止部が設けられ、前記柄部の前端には、前記左右一対のガイドレールに案内されるスライド部材が一体的に設けられ、前記スライド部材の前方に弾発的に変位可能な係合爪を備え、前記係合爪は前記左右一対の係止部に係止可能である清掃具に存する。
【０００９】
本発明は、（２）前記左右一対のガイドレールは、それぞれが断面略逆Ｌ字形であり、前記スライド部材は、断面略エ字形である上記（１）に記載の清掃具に存する。
【００１０】
本発明は、（３）前記クリーニング部は、接触面となる下面が、網地にスリット糸を絡めたもので構成されている上記（１）に記載の清掃具に存する。
【００１１】
本発明は、（４）開口部が対向する前記左右一対の袋状のポケットの対向する開口部の間が所定の間隔をおいて離れている上記（１）に記載の清掃具に存する。
【００１２】
本発明は、（５）前記柄部は、長尺であり、前記取付板に取り付けたとき、前記取付板に対して所定の角度に傾斜して取り付けられる上記（１）に記載の清掃具に存する。
【００１３】
本発明は、（６）前記柄部の握り領域には、指掛け部が取り付けられている上記（１）に記載の清掃具に存する。
【発明の効果】
【００１４】
本発明の清掃具によれば、クリーニング部と、該クリーニング部に着脱可能に取り付けられる取付板と、該取付板に着脱可能に取り付けられる柄部とから構成される清掃具であって、前記クリーニング部は、開口部が対向する左右一対の袋状のポケットを上面に備え、前記取付板は、中央に形成されたヒンジ部により折り曲げ可能で、前記ヒンジ部の左右にそれぞれ前記左右一対の袋状のポケットに挿入される左右一対の挿入片が形成され、前記左右一対の挿入片の上面にはそれぞれ対向するように左右一対のガイドレールが設けられ、該左右一対のガイドレールの前方にはそれぞれ左右一対の係止部が設けられ、前記柄部の前端には、前記左右一対のガイドレールに案内されるスライド部材が一体的に設けられ、前記スライド部材の前方に弾発的に変位可能な係合爪を備え、前記係合爪は前記左右一対の係止部に係止可能である清掃具であるので、前記クリーニング部と、前記取付板及び前記柄部の、組立及び分解が簡単な清掃具を提供することができる。
【００１５】
また、前記クリーニング部の接触面である下面が、網地にスリット糸を絡めたもので構成されているので、床面等の汚れを効率よく清掃することができる。
また、開口部が対向する前記左右一対の袋状のポケットの対向する開口部の間が所定の間隔をおいて離れているので、前記左右一対の袋状のポケットへの前記左右一対の挿入片の挿入・引き抜きが容易である。
また、前記柄部の握り領域には、前記指掛け部が取り付けられているので、前記柄部を把持するとき、前記指掛け部に指を掛けると使い勝手がよい。
また、前記クリーニング部が古くなった場合は、前記クリーニング部だけを新品に交換することができる。
そして、使用済みのクリーニング部だけを廃棄することができ、環境にもやさしい。
【図面の簡単な説明】
【００１６】
【図１】図１は、本発明の実施形態に係る清掃具の全体の側面図である。
【図２】図２は、本発明の実施形態に係るクリーニング部の平面図である。
【図３】図３は、図２に示すクリーニング部の正面図である。
【図４】図４は、図３に示すクリーニング部を撓ませた状態を示す正面図である。
【図５】図５は、本発明の実施形態に係る取付板の平面図である。
【図６】図６は、図５に示す取付板の正面図である。
【図７】図７は、図６に示す取付板をスリットの所で折り曲げた状態の正面図である。
【図８】図８は、本発明の実施形態に係る長柄部の前端のスライド部材３２を示す平面図である。
【図９】図９は、図８に示すスライド部材の正面図である。
【図１０】図１０は、図９に示すスライド部材の底面図である。
【図１１】図１１は、本発明の実施形態に係るクリーニング部の一対の袋状のポケットに取付板を挿入した状態に柄部の先端を差し込む時の説明図である。
【図１２】図１２は、本発明の実施形態に係る取付板に長柄部の前端のスライド部材を取り付けた状態を示す平面図である。
【図１３】図１３は、図１２におけるＸ−Ｘ線の断面図である。
【図１４】図１４は、撓ませたクリーニング部に、スリットの所で折り曲げた取付板の左右一対の挿入片を挿入するときの説明図である。
【発明を実施するための形態】
【００１７】
本発明の実施形態に係る清掃具１０について説明する。
図１に示すように、清掃具１０は、クリーニング部１１と取付板２１と長柄部３１とから構成されている。
そして、清掃具１０は、クリーニング部１１と、クリーニング部１１に着脱可能に取り付けられる取付板２１と、該取付板２１に着脱可能に取り付けられる長柄部３１とから構成されている。
【００１８】
図２，３，４に示すように、クリーニング部１１は、例えば、スポンジ１１ｄ（図１３参照）を基布１１ａで包むように覆って形成され、さらに、接触面１１ｃは、網地にスリット糸を絡めたもので構成されている。
また、クリーニング部１１は、開口部が対向する左右一対の袋状のポケット１１ｂを上面に備えている。
そして、左右一対の袋状のポケット１１ｂの対向する各開口部の間が所定の間隔をおいて離れて設けられている。
【００１９】
図５，６，７に示すように、取付板２１は、中央にヒンジ部２１ａが形成され、前記ヒンジ部２１ａの左右にそれぞれ左右一対の挿入片２１ｂが形成されている。
ヒンジ部２１ａは、薄肉に形成されており、ここを起点として屈曲可能である。
そして、左右一対の挿入片２１ｂは、後述するように清掃具１０の組立時に、左右一対の袋状のポケット１１ｂに挿入される。
【００２０】
また、図５，６，７に示すように、取付板２１は、左右一対の挿入片２１ｂの上面でヒンジ部２１ａの近くには、それぞれ対向するように左右一対のガイドレール２１ｃが設けられ、さらに、この左右一対のガイドレール２１ｃの前方にはそれぞれ左右一対の係止部２１ｄが設けられている。
そして、左右一対のガイドレール２１ｃは、それぞれが断面略逆Ｌ字形である。
【００２１】
図８，９，１０に示すように、長柄部３１の前端には、左右一対のガイドレール２１ｃに案内されるスライド部材３２が一体的に設けられ、スライド部材３２の前方に弾発的に変位可能な係合爪３２ａを備え、係合爪３２ａは、取付板２１の左右一対の係止部２１ｄに係止可能である。
スライド部材３２は断面略エ字形に形成されており、前記ガイドレール２１ｃに嵌り込んで案内される（図１３参照）。
また長柄部３１とスライド部材３２は、プラスチック材、例えばポリプロピレンで一体的に成形されている。
【００２２】
長柄部３１は、握って操作し易いように長尺であり、図１に示すように、取付板２１に取り付けたとき、取付板２１に対して所定の角度に傾斜して取り付けられる。
また長柄部３１の握り領域には、握った状態で指を入れたり或いは引っ掛けたりするための指掛け部４１が取り付けられている。
【００２３】
次に、清掃具１０を構成する、クリーニング部１１と、取付板２１、及びスライド部材３２付きの長柄部３１の組立順序を説明する。
【００２４】
まず、図１４に示すように、まず、一方のクリーニング部１１を撓ませて中央から屈曲させる。
次に他方の取付板２１をヒンジ２１ａのところで逆Ｖ字状に折り曲げる。
そして、逆Ｖ字状に折り曲げた状態にある取付板２１の左右一対の挿入片２１ｂを図の矢印方向に移動させ、同様に屈曲状態にある一対の袋状のポケット１１ｂに差し込む。
【００２５】
その後、クリーニング部１１及び取付板２１を扁平状態に戻す。
クリーニング部１１や取付板２１は扁平状態において安定しているので、この状態が維持される。
この両者を扁平状態に戻してクリーニング部１１と取付板２を組み付けた状態を図１１に示す。
【００２６】
次に、図１１に示すように、長柄部３１の前端の断面略エ字形のスライド部材３２を、取付板２１の左右一対のガイドレール２１ｃに案内ガイドさせながら差し込む。
そして、スライド部材３２の前端面が、左右一対の係止部２１ｄの左右一対の当接面２１ｅに当接して位置決めされる。
同時に、断面略エ字形のスライド部材３２の係合爪３２ａが、取付板２１の左右一対の係止部２１ｄの前端が構成する凹部２１ｆに、弾発的に変位して係止される。
このようにして、本発明の実施形態に係る清掃具１０の組立は完了する。
【００２７】
次に、清掃具１０の分解順序を説明する。
まず、左右一対の係止部２１ｄの前端が構成する凹部２１ｆに、弾発的に変位して係止されている係合爪３２ａを、指で下方に押す。
すると係合爪３２ａが解除状態になるので、更に長柄部３１を引くと、スライド部材３２が左右一対のガイドレール２１ｃから引き抜かれる。
このようにして、取付板２１と長柄部３１を簡単に分解することができる。
【００２８】
次に、クリーニング部１１と取付板２１とを屈曲させ、この状態を保持したまま、一対の袋状のポケット１１ｂから、取付板２１の一対の袋状のポケット１１ｂを、図ｌ４における矢印方向と反対方向に引き抜く。これでクリーニング部１１と取付板２１と簡単に分離できる。
【００２９】
次に、本発明の実施形態に係る清掃具１０を浴室の清掃具として使用する場合、長柄部３１を把持して、例えば、浴室の床面などを擦ると、クリーニング部１１の接触面１１ｃである下面が、網地にスリット糸を絡めたもので構成されているので、床面の汚れを効率よく清掃することができる。
また、長柄部３１を把持するとき、指掛け部４１に指を掛けることで、水等で濡れても滑らず使い勝手がよい。
そして、クリーニング部１１が古くなった場合は、クリーニング部１１だけを新品に交換することができる。
古い使用済みのクリーニング部１１だけを廃棄することができ、環境にもやさしい。
【００３０】
本発明の実施形態に係る清掃具１０は、柄部が長柄部３１であるが、本発明は、柄部が長尺に限定されるものではなく、短尺なものであってもよい。
【産業上の利用可能性】
【００３１】
本発明の実施形態に係る清掃具は、構造が簡単で、組立及び分解が簡単な清掃具であるが、浴室の清掃具以外にも、自動車洗浄用、或いは、土木建設用等に広く使用できる。
【符号の説明】
【００３２】
１０  清掃具
１１  クリーニング部
１１ａ  基布
１１ｂ  一対の袋状のポケット
１１ｃ  接触面
１１ｄ  スポンジ
２１  取付板
２１ａ  ヒンジ部
２１ｂ  左右一対の挿入片
２１ｃ  左右一対のガイドレール
２１ｄ  左右一対の係止部
２１ｅ  当接面
２１ｆ  凹部
３１  長柄部
３２  スライド部材
３２ａ  係合爪
４１  指掛け部
【図１】
2014042558.tif 000003
【図２】
2014042558.tif 000004
【図３】
2014042558.tif 000005
【図４】
2014042558.tif 000006
【図５】
2014042558.tif 000007
【図６】
2014042558.tif 000008
【図７】
2014042558.tif 000009
【図８】
2014042558.tif 000010
【図９】
2014042558.tif 000011
【図１０】
2014042558.tif 000012
【図１１】
2014042558.tif 000013
【図１２】
2014042558.tif 000014
【図１３】
2014042558.tif 000015
【図１４】
2014042558.tif 000016